(57)【特許請求の範囲】
【請求項１】
開口（１０）および底部（１１）を有する容器であり、
少なくとも１つの外壁（２）が、情報を表わす所定の取り外し可能な壁切片部（４）を備える多層のパッケージ（１）において、
前記パッケージ（１）は、内壁（３）および前記外壁（２）により形成され、前記内壁（３）および前記外壁（２）の間にガスのような流動体によって充填される断熱空間が形成され、
少なくとも前記外壁（２）は、二次元の切断済みの部分（６）から構成され、カップ（１）を組み立てるときに、前記二次元の切断済みの部分（６）同士が接合され、
前記切断済みの部分（６）の部分的に重なり合っている部分（９）において、前記切断済みの部分（６）の端縁部（７）の一部を、前記端縁部（７）から前記カップ（１）の周囲方向（Ｕ）内側へ切断して形成され、前記壁切片部（４）に隣接する接触区間（８）を有し、
前記外壁（２）の一部としての前記壁切片部（４）は、取り外し可能なカードであるとともに、前記壁切片部（４）におけるほぼ前記端縁部（７）の方向に延びる端縁が、前記切断済みの部分（６）の端縁部（７）よりも前記周囲方向（Ｕ）内側に位置することにより、一つの凹んだ切欠きすなわち前記接触区間（８）が形成されることを特徴とするパッケージ（１）。
【請求項２】
前記パッケージ（１）が飲料用のパッケージである、ことを特徴とする請求項１に記載の多層のパッケージ（１）。
【請求項３】
少なくとも前記外壁（２）が用紙、ボール紙、プラスチックまたはその他同種のもので形成される、ことを特徴とする請求項１又は２に記載のパッケージ。
【請求項４】
前記パッケージは特に２枚の壁（２，３）からなる、ことを特徴とする請求項１乃至３のいずれか１つに記載のパッケージ。
【請求項５】
前記壁（２，３）が互いに距離をおいている、ことを特徴とする請求項１乃至４のいずれか１つに記載のパッケージ。
【請求項６】
前記壁切片部（４）が固定している、ことを特徴とする請求項１乃至５のいずれか１つに記載のパッケージ。
【請求項７】
前記壁切片部（４）の形状および位置のサイズは、所定の切取線（５）によって決定される、ことを特徴とする請求項１乃至６のいずれか１つに記載のパッケージ。
【請求項８】
前記壁切片部（４）の形状は、略長方形、略矩形、略円形、略楕円形、略台形のいずれか１つである、ことを特徴とする請求項１乃至７のいずれか１つに記載のパッケージ。
【請求項９】
前記壁切片部（４）が略矩形であり、全長（Ｌ）および幅（Ｂ）を有し、
前記全長（Ｌ）は前記カップの前記周囲方向（Ｕ）に延在し、前記幅（Ｂ）は前記カップのほぼ前記端縁部（７）の方向（Ｍ）に延在する、ことを特徴とする請求項１乃至７のいずれか１つに記載のパッケージ。
【請求項１０】
前記所定の切取線（５）が、前記所定の切取線（５）の両端を互いに接続する曲げ線によって補足される、ことを特徴とする請求項７乃至９のいずれか１つに記載のパッケージ（１）。
【請求項１１】
前記壁切片部（４）の前記所定の切取線（５）がミシン目として略形成される、ことを特徴とする請求項７乃至１０のいずれか１つに記載のパッケージ（１）。
【請求項１２】
前記壁切片部（４）は、内側および／または外側の側面上にマークが設けられる、ことを特徴とする請求項１乃至１１のいずれか１つに記載のパッケージ（１）。
【請求項１３】
略周囲のマークは、前記内壁（３）の外側の側面に配置される、ことを特徴とする請求項１乃至１２のいずれか１つに記載のパッケージ（１）。
【請求項１４】
前記壁切片部（４）が前記カップ（１）の前記周囲方向（Ｕ）の前記外壁（２）において延在する、ことを特徴とする請求項９乃至１３のいずれか１つに記載のパッケージ（１）。
【請求項１５】
前記壁切片部（４）が前記切断済みの部分の端縁部（７）に対して隣接され、
前記端縁部（７）が前記カップ（１）のほぼ前記端縁部（７）の方向（Ｍ）において延在している、ことを特徴とする請求項１乃至１４のいずれか１つに記載のパッケージ（１）。
【請求項１６】
前記壁切片部（４）は、部分的に重なり合うように前記切断済みの部分（６）の前記端縁部（７）を越えて突設し、ホルダの役割を担うフラップを形成する、ことを特徴とする請求項１乃至１５に記載のパッケージ（１）。
【請求項１７】
前記切断済みの部分（６）は、前記壁切片部（４）に隣接して容易に前記壁切片部（４）を開口するためのホルダを有する、ことを特徴とする請求項１乃至１６のいずれか１つに記載のパッケージ（１）。
【請求項１８】
前記壁切片部（４）の前記全長（Ｌ）は、前記幅（Ｂ）より大きく、
前記全長（Ｌ）は、前記カップ（１）の前記周囲方向（Ｕ）に延在する、ことを特徴とする請求項９乃至１７のいずれか１つに記載のパッケージ（１）。
【請求項１９】
前記壁切片部（４）は、前記周囲方向（Ｕ）に対して角度αで傾斜して配置される、ことを特徴とする請求項９乃至１８のいずれか１つに記載のパッケージ（１）。
【請求項２０】
前記壁切片部（４）の前記全長（Ｌ）は、前記カップ（１）のほぼ前記端縁部（７）の方向（Ｍ）に配置される、ことを特徴とする請求項９乃至１９のいずれか１つに記載のパッケージ（１）。
【請求項２１】
前記パッケージ（１）の前記周囲方向（Ｕ）の前記壁切片部（４）の対称軸は、前記壁切片部（４）の前記端縁との交点（１３）を形成し、前記端縁は前記接触区間（８）に隣接しており、
前記接触区間（８）の前記対称軸に対する前記交点（１３）は、前記角度αにより可変である、ことを特徴とする請求項９乃至２０のいずれか１つに記載のパッケージ（１）。
【発明の詳細な説明】
【技術分野】
【０００１】
本発明は、多層パッケージ、特に容器開口および容器底部を備え、好ましくは少なくとも１つの外壁が情報を表している所定の着脱自在な壁切片部を備えている容器に関する。
【背景技術】
【０００２】
従来技術では、最初は隠されている情報を公衆に明かす目的を示したラベルを伴ったパッケージを開示する。
この目的のために、ユーザは、ラベルまたはラベルの少なくとも一部分をつまみ、それを剥ぎ取る。
剥ぎ取りにより、隠れた情報が公になる。情報は、ラベルの内側または最初はラベルの下に位置した層の外側に位置する。
同様に、ラベルの後に隠される情報は、例えばステッカのようなものでもよい。
【０００３】
異なるパッケージの種類は、ドイツ国特許６９７１２３７０Ｔ２号およびドイツ国特許６９８０７２５９Ｔ２号が知られている。
【０００４】
ドイツ国特許第６９７１２３７０Ｔ２号のパッケージによれば、多層ラベルは、パッケージの面に配置され、１つのまたは複数のラベルは、面に平行に配置され、貼られるかまたはラベルから剥ぎ取られる。
【０００５】
更に、多層パッケージの異なる種類は、慣例により知られており、飲用容器（すなわち、カップ）は、断熱カバーと組み合わせられる。
カップと断熱カバーは、大部分がボール紙からなり、別々に製造される。
断熱カバーは、断熱のために凹凸面を有し、カップを充填する前に、底部からカップをおおってゆるくスライドする。
カバーは、例えば広告のような、情報担体としての役割を担ってもよい。
カバーはカップに永続的に接合されないので、取り除くことができる。
【０００６】
このパッケージは、簡潔な解決手段である。しかしながら、ケースが飲用容器から分離されるという不利な点を有し、かつ、顧客にそれを渡す前に、販売スタンドの販売人員によって組み立てられなければならないので、パッケージを最後の形状に導くためには、組立作業と同様に、それぞれ別に保管が必要とされる。
【発明の概要】
【発明が解決しようとする課題】
【０００７】
本発明は、上述の種類の中で費用効果が優れ、同時により簡単なパッケージを提供するという目的に基づく。
【課題を解決するための手段】
【０００８】
この目的は、主要な請求項の特徴を表している機能によって解決される。
着脱自在な壁切片部は、カードとして形成され、第１に、少なくとも外壁の一体化された部品である。
ユーザがつまんだとき、適切な手段により、特に容易に、かつその他の部品の干渉なしに、パッケージから引き離すようになっている。
壁切片部そのものが情報担体としての役割を担う場合、さらに、一定の使用期間の間、所定形状の保持を要望される場合は、比較的耐性のある材料で作ることができる。
好都合にも、パッケージの外壁は、同一材料からなる。
【０００９】
この点に関しては、紙、ボール紙、プラスチックまたはその他同種のものが知られており、これらの材料がコーティングされることがパッケージの目的上に不可欠である。
特に、食品および食品のパッケージの場合に利用される。
【００１０】
従って、壁切片部そのものは、情報担体としての役割を担うことができる。
別の実施形態として、壁切片部を引き離した後に、最初は覆われている情報を公表させることになる。
ユーザが容易に壁切片部の引き離すことができるように、壁切片部および／または外壁の材料を選択することが可能なので、ユーザは複合体から壁切片部を取り外すことができる。
【００１１】
情報を開示するために、壁切片部は、部分的、または、完全に取り外すこともできる。
最初の事例では、それまで通り壁と接合されている。
他の事例では、壁から完全に分離される。
壁切片部を取り外している間、いずれの事例においても、情報を見る人のために外壁の範囲内で画面は開かれる。
【００１２】
パッケージは、食事や飲み物を提供する場合、特に飲食店（例えば軽食堂）において使用することができる。
この利用分野においては生産費が重要であるので、パッケージは、紙、ボール紙、プラスチックまたはその他同種のもので形成される。
【００１３】
最小限、パッケージは、２枚の壁、すなわち内側および外側の壁があり、都合のよいことに、断熱を目的として互いに分離している。
空間に起因して、断熱空間が２枚の壁の間に形成され、同様に周囲から分離することができ、その中に含まれる流体、特に空気を保持する。
【００１４】
使用中は、良好な断熱値が発生して、新たにいれられたコーヒーを、このような二重壁パッケージ（特にカップ）に満たすことができるという効果に導く。
コーヒーがまだ高温を有する場合であっても、ユーザは手でパッケージを握持することが可能である。
【００１５】
カードとして形成される壁切片部は、パッケージの外壁のように比較的固く、外壁の引き離しを容易にして、想定される使用にふさわしい一定の耐久性を提供する。
【００１６】
さらに、パッケージ、および特に外壁に提供される壁切片部を有するパッケージは、詳しい情報担体を提供する。そのためには、消費者が壁切片部を識別し、その機能を理解して、付加情報を提示するために壁切片部を開ける協力が必要とされる。
従って、本発明の実施例は、断熱の最適化と、および最初は覆われており、かつ得がたい付加情報の提供という、２つの消極的な目的を解決する。
【００１７】
着脱自在な壁切片部は、パッケージ内にある製品の十分な断熱を今まで通り確保するパッケージの一部として形成される。
さらにまた、壁切片部が付加情報を提示するために取り外されるときに、外壁は同時に二重壁のカップの第２の壁として役割を担い、更に寸法変化を確保する。
２枚の壁の間隔を取ることに起因して、壁切片部は、内壁に接合されなくなった後に、さらに、特に簡単に取り外すことができる。
これは、ユーザにとって壁切片部の取扱いを容易にする。
【００１８】
壁切片部がパッケージの一部としても形成されるという事実のため、製造工程の経費上昇を回避することができ、壁切片部を製作して取り付ける新たな作業工程が以後に生じない。
【００１９】
好都合にも、所定の切取線は、壁切片部の寸法、形状および位置を決定することができる。
製造業者によって要望される寸法、形状および位置の壁切片部を手早くかつ清潔に外壁から分離可能になる。
【００２０】
壁切片部の形状は、実質的に長方形、矩形、円形、楕円形、台形でもよい。
これらの形状は、特に製造において簡単かつ費用効果が優れ、カップ壁から簡単な取りはずしが可能であることが示される。
もちろん、その他の形状も考えられる。
【００２１】
本発明の有益な実施形態において、壁切片部は、矩形であり、全長Ｌおよび幅Ｂを有する。
全長Ｌは周囲方向に延在し、幅Ｂは包絡線方向に延在する。
カップの一列に並べられた方向の壁切片部のこの配置に関しては、壁切片部は外壁から特に容易かつ簡単に取り外され、または分離される。
【００２２】
本発明の別の実施例において、所定の切取線は、互いに所定の切取線の両端を接合する曲げ線によって補足されてもよい。
そのため、壁切片部がカップ壁から完全に分離されることを防止することができる。
従って、壁切片部は、カップに取り付けられて残存する。
【００２３】
本発明の特に有益な実施形態において、壁切片部の所定の切取線は、実質的にミシン目として形成されてもよい。
ミシン目は、外壁から壁切片部の迅速な分離を可能にする。
所定の切取線の部分がミシン目を有してない場合、壁切片部の分離された面は、この領域においてなめらかであり、ミシン目跡（繊維）は一切残らない。
【００２４】
本発明の有益な実施形態において、壁切片部は内側および／または外側においてマーク（印象、印刷したもの）を提供する。
この理由から、広告が、例えば、壁切片部の一方の側面、壁切片部の他方の側面に適用され、コレクション・カード、または価値を有する顧客ボーナス・カードが印刷が施される。
【００２５】
本発明の有益な実施形態において、内壁の外側側面上に実質的にさほど重要ではないマークを配置した。
そのために、マークは、互いに開いた壁切片部に対して、カップの任意の配置で見えることが確保される。
内カップに対して外側カップを正確に配置することは、この理由から不要とされる。
【００２６】
本発明の特に有益な実施形態において、カップの外壁は少なくとも二次元の切断済みの部分で構成され、切断された部分は、両端が重なって接合することができる。
この構造は、着脱自在の壁切片部を有するカップの費用効果が優れ、かつ短期間に生産することができる。
【００２７】
本発明の好ましい実施形態において、壁切片部は、外壁でカップの円周方向に周囲で延在してもよい。
カップは、使用時においては周囲方向でユーザの手によって囲まれるので、従って、カップ底部およびカップ開口は、垂直に一列に並べられ、外壁から壁切片部の取りはずしが、円周方向の位置調整によってユーザに容易になる。
【００２８】
本発明の有益な実施形態において、壁切片部は、カップの包絡線方向に延在している切断済みの部分の端部に近接してもよい。
切断済みの部分の両端が重なって接合している場合、壁切片部の取り外しが容易になり、端部に近接している壁切片部の部分が物質特性に起因して突設するので、その結果、ユーザによって容易に保持される。
【００２９】
本発明の別の実施例において、壁切片部は、切断済みの部分の端部を越えて重なり合うようにして突設して、取っ手を形成してもよい。
壁切片部が取り外されると、このフラップは、極めて容易につまむことができ、取り外しプロセスを速めることができる。
【００３０】
本発明の特に好適な実施形態において、接触区間は、切断済みの部分と重なり合う部分において、壁切片部に近接してもよい。
この接触区間は、切断済みの部分の端縁部の中央部分を切り抜いた部分に形成され、この部分は、実質的に他に対して平行に延在している２つの端部によって形成され、隣接する壁切片部により端縁部上に垂直に立つ。
切断済みの部分が両端が重なって接合している場合、切断済みの部分の材料は接触区間の領域では重ならず、カップの円周壁に対して製作される凹部によって引き起こされ、壁切片部は、ユーザの指で持ち上げ、より容易に分離することができる。
【００３１】
本発明の別の実施例において、切断済みの部分は、より容易に壁切片部を開口するために、壁切片部に隣接するホルダを有してもよい。
このホルダは、壁切片部で取り付けられる、フラップのような取手でもよい。
このような手段によって、壁切片部の握持および取り外しは、ユーザにとって著しく容易になる。
【００３２】
本発明の特に有益な実施形態において、壁切片部の全長Ｌは幅Ｂより大きく、全長Ｌは周囲方向に延在する。
相互に対する２つの寸法の比は、壁切片部の切り取り作用についての影響をすることができる。
全長Ｌが幅Ｂより大きいので、全長Ｌが円周方向に延在する。この利点により、切り取り位置をユーザの必要に応じて改善することもできる。
【００３３】
本発明の別の実施例において、壁切片部は、角度αで傾斜する方法で配置することができる。
壁切片部を傾いて配置することにより、壁切片部の切り取り動作が改善されるのみならず、内壁上のマークはどの方向でも実施でき、マークが常に壁切片部の開口の中に見えるようになる。
【００３４】
一方では、壁切片部の全長Ｌは、カップの面線に向かう方向に配置されてもよいので、パッケージが有用な上記位置以外の位置にあっても、ユーザは壁切片部を取り外すことが可能である。
【００３５】
パッケージの周囲方向の壁切片部の対称軸が交点を壁切片部の端部により形成する場合、端部に近接している接触区間に、特に丸味を付けるのに有利である。
壁切片部の位置および交点に対する対称軸は、角度αに依存して可変可能である。
壁切片部がこの領域において丸味を付けられるので、非対称配置は光学的に認識されることができない。
さらにまた、この配置によって、壁切片部の有益な切り取り位置を製作することができる。
【図面の簡単な説明】
【００３６】
本発明の実施形態は、次の図面を用いて記載されている。
【図１】第１実施例のパッケージを示す図である。
【図２】外壁の一部として形成される壁切片部を有し、図１に従ってパッケージを示す図であり、壁切片部は、部分的に分離したことを示している。
【図３】図１および図２に従ってパッケージを示す図であり、壁切片部が分離され、外壁から除去されたことを示している。
【図４】図１〜３に従ってパッケージのための外壁の二次元の切断済みの部分を示す図であり、接触区間は、外側で切断されたことを示している。
【図５】第２実施例のパッケージを示す図である。
【図６】第３実施例のパッケージを示す図である。
【図７】第４実施例のパッケージを示す図である。
【図８】第５実施例のパッケージを示す図である。
【図９】第６実施例のパッケージを示す図である。
【図１０】第７実施例のパッケージを示す図である。
【図１１】第８実施例のパッケージを示す図である。
【図１２】第９実施例のパッケージを示す図である。
【発明を実施するための形態】
【００３７】
図１は、本発明によるパッケージの正面図をカップの形状において示し、内壁３、外壁２および外壁２の一部として形成される壁切片部４を有することを示している。
内壁３は二次元の切断済みの部分で構成され、両端が重なって接合する。
外壁２は、二次元の切断済みの部分６で構成され、カップの製造の間、重なり合っている部分９で両端が重なって接合する。
内壁３は、外壁２の下端部に対して、間隔を取って下端部とともに配置され、この下端は底部部分中の容器底部１１として形成される。
内壁３の外側寸法は、外壁２の外側寸法より小さいので、内壁３が外壁２に配置され、内壁３と外壁２との間の仕切りが、二重壁のカップ１の断熱の役割を担い、かつ、流体（特にガス）によって充填される。
カップ１は、容器底部１１の反対側に容器開口１０を有する。
容器開口１０において表面上圧着されたマウス・ロールが配置され、内壁３の一部として形成され、外壁２を一周する。
内壁３および外壁２は、容器開口と、容器底部１１の方向の所定の角度のテーパ領域で互いに接合し、その結果、円錐台の形状が、内壁３の底部部分に製作され、外壁２がさらに接合する。
この構造によって、二重壁のカップは、寸法的に安定性のある形状を達成する。
【００３８】
外壁２は、カードの形の壁切片部４を有し、好ましい実施例では、ミシン目を入れられた所定の切取線５を有する。
この所定の切取線５は、二次元の切断済みの部分６の製造の間、接着している。
外壁２の壁切片部４の寸法、形状および位置は、任意に可変である。
所定の切取線５は、薄い部分が壁切片部４を外壁２から分離する所定の切取線５でもよい。
接触区間８は、切断済みの部分６の重なり合う部分において、切断済みの部分６の端部７に配置される。
図５に示すように、切断済みの部分６は、接触区間８の領域の外側で切断される。
【００３９】
カップ１の製造の間、切断済みの部分６は両端が重なって接合されるので、端部７が重なり合う部分９を形成し、壁切片部４がカード形状の外壁２において提供され、接触区間８の領域で突設する。
この突起部分は、より容易にユーザの指により壁切片部４を開口する役割を担う。
わずかにこの部分を持ち上げることによって、所定の切取線５のミシン目が破損され、所定の切取線５に沿った壁切片部４から意図した分離が、力の更なる作用でなし遂げられる。
【００４０】
壁切片部４を持ち上げる役割を担う部分は、接触区間８の領域ではミシン目を有していない。
【００４１】
カードの形の壁切片部４は、片側上および／または両側上に印刷が施される。
図１は、刷り込まれた壁切片部４を有するカップの刷り込まれた外壁２を示す。
【００４２】
図２は、カップ１の外壁２において、部分的に分離された壁切片部４を示す。
壁切片部４は、ミシン目を入れられた所定の切取線を有する。
外壁２からカードとして形成される壁切片部４の分離は、カップ１の内壁３を破損しない。
カップ１内部に位置する壁切片部４の側面にも、印刷が施される。
ユーザからは、壁切片部４がカップ１の外壁２から取り外された場合のみ、マークが見えるようになる。
【００４３】
仮に、壁切片部４の所定の切取線５が外周全体に沿って形成されない場合、分離プロセスは、カップ１の外壁２から壁切片部４を完全には取り外すことができない。
壁切片部４は、少なくとも部分的に外壁２に接合して残存する。
【００４４】
次の図３〜９において、図１による壁切片部４の異なる実施形態を示す。
これらの図において、他の全ての図と同様に、同一の部分は、同じ参照番号によって特徴を表され、単に図と関連して部分的に言及される。
【００４５】
図３は、カップ１の外壁２のカードとして形成される壁切片部４の好ましい実施例を示す。
壁切片部４は、全長Ｌおよび幅Ｂの寸法を有し、全長Ｌは幅Ｂより大きい。
全長Ｌは、カップ１の周囲方向Ｕにおいて延在する。
２つの短い端部が丸い形状を有することによって、一方では、壁切片部４の外側の外観が影響され、他方では、ユーザによって壁切片部４をつまむことを容易にされる。
長い端部が容器開口１０と平行して延在するように、壁切片部４が配置される。
しかしながら、壁切片部４は、さらに容器開口１０に対して任意の角度で配置される。
【００４６】
図４は、外壁２の二次元の切断済みの部分６を示し、部分６は両端が重なって接合し、内壁３と共に、二重壁のカップ１を形成する。
カード形状の壁切片部４は、切断済みの部分６の所定の切取線５によって形成される。
切断済みの部分の端部７で外側の接触区間８が切り外されるので、接触区間８が、端部７に対して垂直で、壁切片部４に近接して延在している２つの端部を形成する。
接触区間８の材料は、切断済みの部分６から取り出される。
【００４７】
図５は、長い端部がカップ１の包絡線方向Ｍの方向に延在する図４のような壁切片部４を示す。
この実施形態は、重なり合っている部分９の接触区間８を有していない。
【００４８】
図６において、壁切片部は、カップ１の周囲方向Ｕにおいて、周囲に配置される。
容器開口１０および容器底部１１に対する壁切片部４の距離は、任意である。
【００４９】
更なる実施形態において、壁切片部４は、図７に示すように、楕円形状を有する。
楕円形の輪郭線の寸法および位置は、カップ１の外壁２で、任意に配置される。
【００５０】
図８は、全長Ｌおよび幅Ｂの寸法を有する壁切片部４の更なる実施形態を示す。
本実施例において、全長Ｌは、幅Ｂより大きいので、矩形の壁切片部４が製作される。
全長Ｌは、さらに幅Ｂと同様に同程度に大きいので、長方形の壁切片部４が製作される。
壁切片部４の角は、丸みが付けられている。
【００５１】
図９は、図８による壁切片部４の更なる実施形態を示す、全長Ｌは周囲方向Ｕに延在し、幅Ｂは包絡線方向Ｍに延在する。
壁切片部４の端部は、丸みを付けられている。
【００５２】
内壁３および外壁２は、互いに対して任意の方向に配置されて、容器底部１１と同様に容器開口１０でマウス・ロール１２に互いに接合される。
内壁３は、周囲のマークを有するので、壁切片部４が外壁２から取り出されるとすぐに、このマークは常に視認できる。
【００５３】
好ましい実施例において、カードとして形成される壁切片部４は、両側に印刷が施される。
ユーザが持つカップ１の外壁２には、広告またはある行為に対する参照事項が印刷される。
壁切片部４が外壁２から分離された後で、ユーザは、それまでカップで内部に位置した壁切片部４の側面にも注目することができる。
壁切片部４の裏面には、例えばボーナス・ポイントの広告またはコレクタ・カードが、銘記される。
カップ１から分離された壁切片部４は、例えばステッカの形でカップ１の外壁２上に配置され、ボーナス・ポイント用コレクタ・カードとしての役目を果たす。
【００５４】
同様に、形状および壁切片部４のマークのための更なるオプションが可能であることに、注目しなければならない。
１つのオプションとして、例えば、形状が会社のロゴに該当したり、または他のいかなる幾何学形状を有することがあげられる。
【００５５】
外壁２は、実質的に紙、ボール紙またはその他同種のものからなり、したがってより容易に印刷することができる。例えば外側に取り付けられるポリエチレンのプラスチック箔によって、印刷特性は、さらに改善することができる。
内壁３は、実質的に紙、ボール紙またはその他同種のものから形成され、加えてパッケージに塗布されたプラスチック層を有する。
【００５６】
説明された実施形態から派生して、パッケージは、いくつかの点で改良することができる。
例えばパッケージ、特に容器の形状は、長円体、矩形または円筒形の容器を形成するように変化させることができる。（図１０、１１および１２）。
【００５７】
さらにまた、内側および／または外側の壁は、例えばプラスチックのように変形し易くて堅い材料を用いて形成することもできる。
【００５８】
壁切片部を矩形の容器の角領域に位置させることにより、壁切片部の端部は、向こう側に突出して重なりを形成し、壁切片部を容易に分離できる。
【００５９】
図１１による矩形の容器において、角領域と同様に角柱の側面に位置する二次元余白の重なりは、同様に半径を備える。
【００６０】
更に有益な実施形態を以下に開示する。
内壁および外壁を含んでいる多層パッケージが、内壁から離れて間隔を置かれ、外壁は、パッケージ上に提供される着脱自在の壁切片部をおおい隠している情報を含み、着脱自在の壁切片部の取り外しにより情報を明らかにする。
パッケージは、ベースおよび開口を含んでいる飲料のためのパッケージであり、内壁および外壁はパッケージの側面部を形成する。
パッケージの少なくとも外壁は、紙、ボール紙またはプラスチックから形成される。
パッケージの内壁および外壁はパッケージの側面部であり、パッケージの唯一の側面部である。
パッケージの内壁および外壁は、その間に断熱すき間を提供するために、互いから離れて間隔を置かれる。
パッケージの開口は、マウス・ロールで実質的に上端部を終端する内壁および外壁から形成されるマウス・ロールによって形成される。
パッケージの断熱すき間は、ガスで満たされる。
【００６１】
パッケージの壁切片部が固定されている。
パッケージの壁切片部の形状は、実質的に長方形、矩形、円形、楕円形、台形である。
パッケージの寸法、壁切片部の形状および位置外壁に形成されて薄い線によって決定される。
パッケージの薄い線が開いた通路を形成し、曲げ線によって補足され、相互に薄い線の両端を結合する。
パッケージの薄い線は、実質的にミシン目として形成される。
パッケージの壁切片部は、内側の側面および／または外側の側面上の印象によって提供される。
【００６２】
パッケージの内壁および外壁は、横断面において環状であり、印象は、内壁の外側の全体円周の周囲に実質的に内壁の外側に配置される。
切断部分を含んでいるパッケージは壁部分の端部に近接し、切断部分に近接している壁部分の端部は、フラップを形成し、壁部分の取り外しを容易にするために手で握持されることが可能になる。
【００６３】
パッケージの少なくとも外壁は、二次元の前もって切断された部分から形成され、壁切片部以外はそれ自体によって結合され、外壁を形成する。
パッケージの壁切片部は、前もって切断された部分の周囲の端部の内部に位置され、切断部分は、前もって切断された部分の端部から手に取られるので、壁切片部の一部が前もって切断された部分の周囲の端部の部分を形成する。
パッケージの切断部分は、前もって切断された部分がそれ自体に結合される所で位置し、前もって切断された部分は、外壁の外面上の切断部分にそれ自体に結合される。
パッケージが基底部を有しているカップであり、開口および側面部は、基底部と開口との間に延在している内壁および外壁によって形成され、壁切片部は実質的に矩形であり、全長および幅を有し、全長はカップの周囲方向に延在し、幅はカップの包絡線方向に延在する。
【００６４】
パッケージの壁切片部の全長は幅より大きい。
パッケージの壁切片部の長手軸は、角度α（α≠０）で周囲方向に対して傾斜して配置される。
パッケージの切断部分は、対称形であり、周囲方向の対称軸を有する。
パッケージの壁切片部の幅は、全長より大きい。
【００６５】
カップは、
ａ）マウスを形成している開口と、
ｂ）基部と、
ｃ）略円錐台形の内側の側面部と、
ｂ）概して円錐台形の外側の側面部とを備え、
ｉ）内側の側面部は、すき間の間を規定するために、外側の側面部に位置し、
ｉｉ）内側の側面部および外側の側面部は、互いに結合し、
ｉｉｉ）外側の側面部は、着脱自在の壁切片部を含み、すき間によって内側の側面部から分離される。
【００６６】
カップの着脱自在な壁切片部は、少なくとも１つの曲線縁を含む。
カップの外壁は、曲線縁に隣接する切断部分を含む。
カップの着脱自在な壁切片部は、曲線縁から離れて延在している２つの線形端部を含む。
カップの着脱自在な壁切片部は、着脱自在な壁切片部の第１および第２の頂点との間に延在している第１曲線縁を含み、２つの平行した線形端部の１つは、各々の第１の頂点および第２の頂点から着脱自在な壁切片部の第３の頂点および第４の頂点まで延在し、第３の頂点および第４の頂点に第２の曲線縁を加え、外側の側面部は第１曲線縁に隣接して切断部分を含む。
【００６７】
カップの２つの平行な線形端部は、カップのマウスに対して平行である。
カップの２つの平行な線形端部は、カップのマウスと比較してゼロ以外の角度である。
カップの着脱自在な壁切片部は、薄い線によって形成される。
カップの薄い線は、着脱自在な壁切片部のあらゆる端部に沿って、切断部分から延在する。
カップの着脱自在な壁切片部は、一連の曲げ加工によって同様に形成され、着脱自在な壁切片部が内側の側面部から取り外される場合に、外側の側面部に取り付けられて部分的に残存する。
カップの着脱自在な壁切片部は、ポイントを収集するためのコレクタ・カードである。
カップの着脱自在な壁切片部は、内面上のコレクタ・カードに印刷される。
カップの着脱自在な壁切片部は、広告をプリントされている。
【図１】
0005441706.tif 000002
【図２】
0005441706.tif 000003
【図３】
0005441706.tif 000004
【図４】
0005441706.tif 000005
【図５】
0005441706.tif 000006
【図６】
0005441706.tif 000007
【図７】
0005441706.tif 000008
【図８】
0005441706.tif 000009
【図９】
0005441706.tif 000010
【図１０】
0005441706.tif 000011
【図１１】
0005441706.tif 000012
【図１２】
0005441706.tif 000013